(57)【要約】    【課題】  従来から存在するバスト用パッドと異なり、バストの大きさ、形状に柔軟に対応可能な新規なバスト用パッドを提供すること。また、バストの大きさ、形状に柔軟に対応可能な新規なバスト用パッドを備えた水着を提供すること。  【解決手段】  本発明に係るバスト用パッドは、柔軟性材料でカップ状に成形されたパッド本体を備えている。そして、前記パッド本体の外周の一部に、着用者のバストの大きさ・形状に応じて開閉する切り込みを形成している。このような構成により、着用者のバストのサイズ、形状の相違又は変化に応じて切り込みが開閉し、常に着用者のバストにフィットするようになる。  【選択図】  図１
2005314854.tif 000002
【特許請求の範囲】
【請求項１】
柔軟性材料でカップ状に成形されたパッド本体を備え、
前記パッド本体の外周の一部に、着用者のバストの大きさ・形状に応じて開閉可能な切り込みを形成したことを特徴とするバスト用パッド。
【請求項２】
前記パッド本体の外周部が中心部に比べて薄く成形されていることを特徴とする請求項１に記載のバスト用パッド。
【請求項３】
前記切り込みは、前記パッド本体の外周の左右側面に各々１つずつ形成され、当該パッド本体の最突出部（頂上）付近に向かって延びる略三角形状の切り込みであることを特徴とする請求項１又は２に記載のバスト用パッド。
【請求項４】
前記パッド本体の外周部に沿って配置される伸縮性テープを更に備えたことを特徴とする請求項１，２又は３に記載のバスト用パッド。
【請求項５】
柔軟性材料により平面的には略三角形のカップ状に成形され、外周部が中心部に比べて薄く成形されたパッド本体を備え、
前記パッド本体の外周の左右側面に、当該パッド本体の最突出部（頂上）付近に向かって延び、着用者のバストの大きさ・形状に応じて開閉可能な略三角形状の切り込みを各々１つ形成したことを特徴とするバスト用パッド。
【請求項６】
前記パッド本体の外周部に沿って配置される伸縮性テープを更に備えたことを特徴とする請求項５に記載のバスト用パッド。
【請求項７】
請求項１に記載のバスト用パッドを備えたことを特徴とする水着。
【請求項８】
前記パッド本体の外周部が中心部に比べて薄く成形されていることを特徴とする請求項７に記載の水着。
【請求項９】
前記切り込みは、前記パッド本体の外周の左右側面に各々１つずつ形成され、当該パッド本体の仮想外接円の中心に向かって頂点が延びる略三角形状の切り込みであることを特徴とする請求項７又は８に記載の水着。
【請求項１０】
前記パッド本体の外周部に沿って配置される伸縮性テープを更に備えたことを特徴とする請求項７，８又は９に記載の水着。
【請求項１１】
請求項５に記載のバスト用パッドを備えたことを特徴とする水着。
【請求項１２】
前記パッド本体の外周部に沿って配置される伸縮性テープを更に備えたことを特徴とする請求項１１に記載の水着。
【請求項１３】
前記パッドは、成長期の子供用として使用されることを特徴とする請求項１に記載のバスト用パッド。
【請求項１４】
前記パッドは、妊婦用として使用されることを特徴とする請求項１に記載のバスト用パッド。
【発明の詳細な説明】
【技術分野】
【０００１】
本発明は、女性用水着等の胸部に配置されるパッドの構造に関する。本発明に係るパッドは、水着以外に下着等にも適用できるものである。
【背景技術】
【０００２】
特開２００３−１５５６０２には、ブラジャーと着用者の胸部の間に挿入される胸部用吸汗パッドが開示されている。また、特開２００２−１９４６０３には、スリットを有する母乳パッドが開示されている。しかしながら、着用者のバストの大きさ、形状に柔軟に対応可能なバスト用パッドは存在しなかった。
【０００３】
【特許文献１】特開２００３−１５５６０２
【特許文献２】特開２００２−１９４６０３
【発明の開示】
【発明が解決しようとする課題】
【０００４】
本発明は、従来から存在するバスト用パッドと異なり、バストの大きさ、形状に柔軟に対応可能な新規なバスト用パッドを提供することを目的とする。また、バストの大きさ、形状に柔軟に対応可能な新規なバスト用パッドを備えた水着を提供することを他の目的とする。
【課題を解決するための手段】
【０００５】
上記のような目的を達成するために、本発明に係るバスト用パッドは、柔軟性材料でカップ状に成形されたパッド本体を備えている。そして、前記パッド本体の外周の一部に、着用者のバストの大きさ・形状に応じて開閉する切り込みを形成している。このような構成により、着用者のバストのサイズ、形状の相違又は変化に応じて切り込みが開閉し、常に着用者のバストにフィットするようになる。
【０００６】
前記パッド本体の外周部が中心部に比べて薄く成形することにより、フィット性が向上する他、衣類（水着含む）の表面からパッドの段差が目立たなくなる等の効果がある。
【０００７】
前記切り込みは、前記パッド本体の外周の左右側面に各々１つずつ形成され、当該パッド本体の最突出部（頂上）付近に向かって延びる略三角形状とすることが好ましい。但し、切り込みの数、形状は用途等に応じて適宜変更可能である。
【０００８】
前記パッド本体の外周部に沿って伸縮性テープを配置した場合には、切り込みの開閉によるフィット性を損なう（開閉動作を妨げる）ことなく、吊り下げ式のパッドとして使用することが可能となる。例えば、伸縮テープの端部を水着等の衣類の内側にホック等によって固定することができる。伸縮テープを採用しない場合には、水着等の衣類の内側に隙間を設け、その中にパッドを差し込む形式を採ることができる。
【０００９】
本発明に係るバスト用パッド及びこれを用いた水着は、成長期の子供用や妊婦用に特に適している。成長期の子供や、妊婦は、バストのサイズが短期間で大きく変化する。このため、従来のパッドであると、最初はフィットしていても直ぐに合わなくなり、パッド自体を頻繁に新しいものと交換するか、水着を買い換える必要が生じていた。本発明のパッドによれば、着用者のバストのサイズ、形状が変化した場合にも、パッド本体の切り込みの開閉によってその変化を吸収することができ、常にフィットした状態での使用が実現可能となる。なお、本発明に係るパッドは、水着以外にも下着（ブラジャー）、通常の衣類にも適用することが可能である。
【発明を実施するための最良の形態】
【００１０】
図１は、本発明の第１実施例に係る水着用パッド（右用）を示す平面図である。図２は、第１実施例に係るパッドを示す側面図である。図３は、図１のＸ−Ｘ方向の断面図である。図４は、第１実施例に係るパッドの製造工程の一部を示す説明図である。本実施例に係る水着用パッド１０は、水着の内側に配置されるものであり、柔軟性材料でカップ状に成形されたパッド本体（１０）を備えている。そして、パッド本体１０の外周の一部に、着用者のバストの大きさ・形状に応じて開閉する切り込み１２ａ，１２ｂを形成している。図１〜図５においては、いずれも右用（正面から見て左）のパッドを示しているが、左側のパッドは当該右側と対称の形状であることは言うまでもない。また、本実施例に係るパッド１０は、例えば、水着の内側に設けられた隙間（ポケット）の中に差し込むような形で使用する。
【００１１】
パッド本体は、柔軟性材料により略三角形のカップ状（図では中心が膨らんでいる）に成形されている。また、パッド本体の外周部が中心部に比べて薄く成形されている。この薄肉部を符号１４で示す。切り込み１２ａ，１２ｂは、パッド本体１０の外周の左右側面に、パッド本体１０の最突出部（頂上）Ｏ付近に向かって延びている。パッド本体１０は、中芯がポリウレタン１００％、表裏生地がポリエステル１００％で成形することができる。着用者の肌に直接触れるため、肌触りとフィット性を考慮して柔軟な材質を選択することが重要である。また、着用者の肌側（内側）に別素材を貼り合わせても良い。パッド本体１０は、へこみ難い適度な張りと、中心に向かって自然にボリュームが増すように設計することが好ましい。
【００１２】
薄肉部１４の厚さは、例えば約１ｍｍ程度とし、中心部の厚さは３．５〜４．０ｍｍ程度とすることができる。
【００１３】
中芯の素材としては、ＥＶＡ（樹脂）を使用することができる。ＥＶＡ自体は硬度が高いため、安定した形状（シルエット）を重視する場合に適している。ＥＶＡはポリエステル＋ポリウレタンに比べて低い熱（８０℃程度）で変形する特性がある。中芯の素材としては、他に低反発材料を使用することもできる。表裏生地としては、ポリエステルの他に独特の風合いを有する不織布を使用することができる。不織布は風合いを楽しめるが、型崩れし易いという特徴を有する。
【００１４】
図１において、例えば、外方寸法Ａを１２５ｍｍ〜１４５ｍｍ；内方寸法Ｂを１４５ｍｍ〜１７５ｍｍ；下方寸法Ｃを１３５ｍｍ〜１６０ｍｍとすることができる。また、切り込み１２ａ，１２ｂの深さを約３０〜３５ｍｍ、開口幅を約１０ｍｍとすることができる。なお、各寸法、切り込みの個数等は、上記の施例に限定されず、パッド本体の材質・特性や用途に応じて、適宜変更することができる。
【００１５】
本実施例においては、パッド本体１０の外周部１４が中心部に比べて薄く成形されているため、着用者のバストに対するフィット性が向上する他、水着の表面からパッドの段差が目立たないという効果がある。パッド１０の厚みの調整は、後述する金型の設計によって実現することができる。すなわち、中央付近に比べて周縁部を強く押しつぶすような格好となる。
【００１６】
本実施例に係るパッド１０の製造に際しては、ポリウレタン層をポリエステル層で表裏両側から挟み込むような格好で、元生地を用意する。次に、これを金型で挟み、例えば２２０℃程度の高温で熱圧着し、図４の状態に成型する。その後、符号１８で示す周縁部を抜き型（図示せず）で打ち抜く。この際、切り込み１２ａ，１２ｂに対応する三角形領域を同時に打ち抜くことができる。切り込み１２ａ，１２ｂに対応する三角形領域を同時に打ち抜かない場合には、その部分のみを後で除去することになる。
【００１７】
図５は、本発明の第２実施例に係るバスト用パッド３０を示す平面図である。図５に示すパッド３０は、右用（正面から見て左）を示すものである。本実施例は、第１実施例と同一構造のパッド本体１０の外周部に沿って伸縮性テープ３２を付加したものである。伸縮テープ３２を採用することにより、切り込み（１２ａ，１２ｂ）の開閉によるフィット性を損なう（開閉動作を妨げる）ことなく、吊り下げ式のパッドとして使用することが可能となる。例えば、伸縮テープの端部３４を水着等の衣類の内側に固定することができる。伸縮性テープ３２は、切り込み１２ａ，１２ｂの開閉機能を妨げない程度の高伸縮性を有する素材により、例えば、約６ｍｍ程度の幅に成形することができる。また、パッドの装着感（フィット性）及び、外周部に段差の少ない滑らかな外観形状を損なうことのないように、パッド本体１０の周縁部の厚みに合わせて、伸縮性テープ３２の厚みも薄くすることが好ましい。
【００１８】
図６は、本発明の第３実施例に係る水着用パッド（右用）を示す平面図である。本実施例と上述した実施例とでは、切り込みの数及びこれに基づく形状の違いがある。本実施例に係る水着用パッド１００においては、パッド本体の外周の一部に、着用者のバストの大きさ・形状に応じて開閉する４つの切り込み１１２ａ，１１２ｂ，１１２ｃ，１１２ｄを形成している。なお、材質、製造方法等の他の構成については、上述した第１実施例と同様であり、重複した説明を省略する。また、本実施例に係るパッドを第２実施例のように吊り下げ型に適用することも可能である。
【００１９】
本実施例に係るパッド１００において、例えば、身体中心側の寸法Ａ，Ｂ，Ｃを各々４０ｍｍ〜５０ｍｍとし、身体外側の寸法Ｄ，Ｅ，Ｆを各々３５ｍｍ〜４５ｍｍとし、切り込み１１２ａ，１１２ｂ，１１２ｃ，１１２ｄの開口幅を各々約１０ｍｍとし、切り込み１１２ａ，１１２ｂ，１１２ｃ，１１２ｄの深さを各々約３０ｍｍ〜３５ｍｍとすることができる。なお、パッド本体の材質・特性や用途に応じて、各寸法を適宜変更し、切り込みの個数を増減することも可能である。また、切り込みの個数を身体の中心側と外側で異なる数とすることもできる。例えば、切り込みの個数を身体中心側を３個、身体外側を２個としたり、身体中心側を２個、身体外側を１個としたり、身体中心側を３個、身体外側を１個とすることができる。
【００２０】
本実施例においては、上記第１及び第２の実施例に比べてパッドの切り込みの数を増やしているため、更にフィット性の向上が期待できる。
【００２１】
以上説明したように、本発明に係るバスト用パッド及びこれを用いた水着は、成長期の子供用や妊婦用に特に適している。すなわち、本発明のパッドによれば、着用者のバストのサイズ、形状が変化した場合にも、パッド本体の切り込みの開閉によってその変化を吸収することができ、常にフィットした状態での使用が実現可能となる。
【００２２】
以上、本発明の実施例について説明したが、本発明はこれらの実施例に何ら限定されるものではなく、特許請求の範囲に示された技術的思想の範疇において変更可能なものである。
【図面の簡単な説明】
【００２３】
【図１】図１は、本発明の第１実施例に係るバスト用パッド（右用）を示す平面図である。
【図２】図２は、第１実施例に係るバスト用パッドを示す側面図である。
【図３】図３は、図１のＸ−Ｘ方向の断面図である。
【図４】図４は、第１実施例に係るバスト用パッドの製造工程の一部を示す説明図である。
【図５】図５は、本発明の第２実施例に係るバスト用パッド（右用）を示す平面図である。
【図６】図６は、本発明の第３実施例に係るバスト用パッド（右用）を示す平面図である。
【符号の説明】
【００２４】
１０，１００      パッド（パッド本体）
１２ａ，１２ｂ，１１２ａ，１１２ｂ，１１２ｃ，１１２ｄ      切り込み
１４，１１４      薄肉部
３０      パッド
３２      伸縮性テープ
Ｏ      最突出部（頂上部）
【図１】
2005314854.tif 000003
【図２】
2005314854.tif 000004
【図３】
2005314854.tif 000005
【図４】
2005314854.tif 000006
【図５】
2005314854.tif 000007
【図６】
2005314854.tif 000008